(57)【要約】【課題】バウンス機能によりストロボ本体に対して回動自在な発光部が非常に小型なものであっても、安定したズーム機能の動作を可能にするストロボ装置を提供する。【解決手段】ストロボ装置は、ストロボ本体１に対して発光部４を回動させるバウンス機能、および発光部４を構成する第２の発光部筐体７に保持されたフレネルパネル５を直進移動させることで照射角を変更するズーム機能を有する。発光部４は、バウンス機能用の回動軸６１を配置した突出部６ａを有する。突出部６ａは、ストロボ本体１に入り込むように、ストロボ本体１内のメインコンデンサ３８に隣接する。第２の発光部筐体７を第１の発光部筐体６に対して直進変位させるスライド機構を、発光部４の先端から突出部６ａに配置された回動軸６１を跨ってストロボ本体１内のメインコンデンサ３８近傍の空隙に至る範囲に配置した。【選択図】図１１
2010181553.tif 000002
【特許請求の範囲】
【請求項１】
ストロボ本体と、発光光学系が配置された発光部とを備え、前記発光部から照射される光の照射方向を変更するバウンス機能および前記発光部から照射される光の照射角を変更するズーム機能を有するストロボ装置であって、
前記バウンス機能を動作させるために、前記発光部が前記ストロボ本体に対して回動する際に中心となる回動軸を、前記発光光学系と、前記ストロボ本体内の、前記発光部に隣接する位置に設けられた発光用の電荷を蓄えるコンデンサとの間に配置し、
前記発光光学系に含まれる発光光源と光学部材との相対位置を変化させて前記ズーム機能を動作させるために、前記光学部材に直進移動を行わせるスライド機構を、前記発光部に設けるとともに、前記発光光学系の近傍から前記回動軸を跨って前記コンデンサの近傍に至る範囲に配置したことを特徴とするストロボ装置。
【請求項２】
前記発光部は、
前記発光光源を収納し、前記回動軸を有する第１の発光部筐体と、
前記光学部材を保持し、前記第１の発光部筐体に対して直進移動可能な第２の発光部筐体とから構成され、
前記第１の発光部筐体および前記第２の発光部筐体の共通する一面側に、前記ストロボ本体側に突き出た第１の突出部および第２の突出部をそれぞれ形成するとともに、前記第１の突出部に前記回動軸を配置し、
前記スライド機構を、前記共通する一面側に配置したことを特徴とする請求項１記載のストロボ装置。
【請求項３】
前記発光光源に対し、前記光学部材が近接する第１の位置と、前記光学部材が離間する第２の位置とを有し、
前記第１の位置では、前記スライド機構を構成する部材の一部が前記発光部から突出して前記ストロボ本体と係合することで、前記発光部の回動が規制され、
前記第２の位置では、前記スライド機構を構成する部材の一部が前記発光部に収納されることで、前記発光部の回動が可能となることを特徴とする請求項２記載のストロボ装置。
【請求項４】
前記発光光学系は、前記発光光源としての閃光発光光源と、前記発光光源から照射される光を前方へ折り返す反射傘とを有することを特徴とする請求項３記載のストロボ装置。
【請求項５】
前記閃光発光光源に対し、発光時に高電圧のトリガ信号を印加するトリガコイルを、前記第１の発光部筐体に形成された前記第１の突出部が位置する空間に配置したことを特徴とする請求項４記載のストロボ装置。
【請求項６】
前記スライド機構は、前記第１の発光部筐体の一部であって、長穴が形成されたケースと、前記第２の発光部筐体の一部であって前記長穴に挿通されるボスが形成されたカバーと、前記ボスと係合することによって前記カバーと一体化し、前記ケースを摺動自在に狭持するスライダとによって構成されたことを特徴とする請求項２記載のストロボ装置。
【発明の詳細な説明】
【技術分野】
【０００１】
本発明は、バウンス機能およびズーム機能を有するストロボ装置に関する。
【背景技術】
【０００２】
従来、照射角を可変とするズーム機能を有するストロボ装置では、例えば特許文献１に示されるように、フレネルパネルを前後に移動させ、閃光発光管を内包する反射傘とフレネルパネルとの相対距離を変化させることにより、照射角を変更する方式が知られている。
【０００３】
この方式は、内部の閃光発光管と反射傘を電動モータを用いて駆動するオートズーム方式が主流となった近年ではあまり見られなくなったが、スペース上、電動モータ等の搭載が困難な小型ストロボにおいては有効な手段である。
【０００４】
また、照射方向を可変とし、天井等の反射光を利用する、いわゆるバウンス機能を有するストロボ装置として、例えば、特許文献２に示されるものが知られている。特許文献２では、明確に図示されていないが、発光部（発光器部）を上方へ向けるために回動軸を中心に発光部を回動させることが可能である。
【先行技術文献】
【特許文献】
【０００５】
【特許文献１】特公昭６３−３２９６号公報
【特許文献２】実公昭６１−４１０７６号公報
【発明の概要】
【発明が解決しようとする課題】
【０００６】
しかしながら、上記従来のストロボ装置では、つぎのような問題があった。特許文献１に記載のストロボ装置では、前後に移動する発光照射角可変フードは、その移動方向において、比較的長さを有する発光部に覆い被さった形態をなしている。このように、直進移動を伴う機構は、移動時の傾き等で操作性を損なわないように、極力移動方向に長く伸びた形態を備えることが望まれた。
【０００７】
また、特許文献２には、非常に小型のストロボ装置が示されている。バウンス機能のためにストロボ本体より分離された発光器部は、ほぼ閃光放電管と反射傘（反射鏡）とフレネルパネル（発光窓）を内包するだけの大きさしか有していない。従って、フレネルパネルを安定して直進変位させる機構を組み込むことは非常に困難である。
【０００８】
そこで、本発明は、上記問題を鑑みてなされたものであり、バウンス機能によりストロボ本体に対して回動自在な発光部が非常に小型なものであっても、安定したズーム機能の動作を可能にするストロボ装置を提供することを目的とする。
【課題を解決するための手段】
【０００９】
上記目的を達成するために、本発明のストロボ装置は、ストロボ本体（１）と、発光光学系（２０、２１）が配置された発光部（４）とを備え、前記発光部（４）から照射される光の照射方向を変更するバウンス機能および前記発光部（４）から照射される光の照射角を変更するズーム機能を有するストロボ装置であって、前記バウンス機能を動作させるために、前記発光部（４）が前記ストロボ本体（１）に対して回動する際に中心となる回動軸（６１）を、前記発光光学系（２０、２１）と、前記ストロボ本体（１）内の、前記発光部（４）に隣接する位置に設けられた発光用の電荷を蓄えるコンデンサ（３８）との間に配置し、前記発光光学系（２０、２１）に含まれる発光光源（２１）と光学部材（５）との相対位置を変化させて前記ズーム機能を動作させるために、前記光学部材（５）に直進移動を行わせるスライド機構（１０、１１、１４）を、前記発光部（４）に設けるとともに、前記発光光学系（２０、２１）の近傍から前記回動軸（６１）を跨って前記コンデンサ（３８）の近傍に至る範囲に配置したことを特徴とする。
【発明の効果】
【００１０】
本発明の請求項１に係るストロボ装置は、光学部材に直進移動を行わせるスライド機構を、発光光学系の近傍から回動軸を跨ってコンデンサの近傍に至る範囲に配置した。これにより、バウンス機能のため、ストロボ本体に対して回動自在な発光部に、光学部材の直進移動によるズーム機能を搭載する際、安定して動作するスライド機構を効率的に配置することができる。従って、小型化を維持したまま操作性に優れるズーム機能を提供することができる。このように、バウンス機能のためストロボ本体に対して回動自在な発光部が非常に小型なものであっても、安定したズーム機能の動作が可能になる。
【００１１】
請求項２に係るストロボ装置は、第１および第２の発光部筐体の共通する一面側に、ストロボ本体側に突き出た第１および第２の突出部をそれぞれ形成するとともに、第１の突出部に回動軸を配置し、スライド機構を前記一面側に配置した。従って、発光部が大型化すること無く、小型なストロボ装置を実現することができる。
【００１２】
請求項３に係るストロボ装置によれば、ズーム機能により光学部材に直進移動を行わせるスライド機構がバウンス機能のロック機構を兼ねることができる。従って、このロック機構により、通常使用状態における発光部の不用意な回転を防止することができる。
【００１３】
請求項４に係るストロボ装置によれば、閃光発光光源および反射傘を有するので、反射傘により閃光発光光源からの閃光を前方へ有効に照射することができる。
【００１４】
請求項５に係るストロボ装置によれば、第１の突出部が位置する空間を、回動軸やスライド機構以外にも効率的に利用することができる。
【００１５】
請求項６に係るストロボ装置によれば、スライド機構を、第１の発光部筐体および第２の発光部筐体の共通する一面側に集中的に配置することができる。
【図面の簡単な説明】
【００１６】
【図１】実施の形態におけるストロボ装置の外観を示す斜視図である。
【図２】発光部４が搭載するズーム機能を動作させた状態におけるストロボ装置の外観を示す斜視図である。
【図３】第２の発光部筐体７を引き出したまま、発光部４を第１の発光部筐体６の突出部６ａに配置された回動軸を中心に回動させ、バウンス機能を動作させた状態におけるストロボ装置の外観を示す斜視図である。
【図４】発光部４の全体構成を示す分解斜視図である。
【図５】発光部４のスライド機構を示す分解斜視図である。
【図６】第２の発光部筐体７が引き出された状態にある場合の発光部４のスライド機構を示す斜視図である。
【図７】第２の発光部筐体７が通常使用状態にある場合の発光部４のスライド機構を示す斜視図である。
【図８】主な外装部分を取り除いた状態におけるストロボ本体１の構成を示す分解斜視図である。
【図９】主な外装部分を取り除いた完成状態におけるストロボ本体１の構成を示す斜視図である。
【図１０】ストロボ本体に取り付けられる主な外装部品を示す分解斜視図である。
【図１１】通常使用状態における発光部４の構造を示す断面図である。
【図１２】第２の発光部筐体７が引き出された状態における発光部４の構造を示す断面図である。
【発明を実施するための形態】
【００１７】
本発明のストロボ装置の実施の形態について図面を参照しながら説明する。本実施形態のストロボ装置は、発光部から照射される光の照射方向を変更するバウンス機能および発光部から照射される光の照射角を変更するズーム機能を備えた小型のものである。
【００１８】
図１は実施の形態におけるストロボ装置の外観を示す斜視図である。ストロボ装置は発光部４およびストロボ本体１から主に構成される。ストロボ本体１は、ストロボ動作を行わせる主要な回路を内包し、電池蓋２により単三型電池からなる動作用電源を収納する。ストロボ本体１の下部には、カメラのアクセサリシューに装着するため脚部３が設けられる。
【００１９】
発光部４は、発光光学系を内包し、略箱状の筐体の上面側に、ストロボ本体１に食い込むような形状の突出部４ａを有する。また、発光部４の前面には、発光光学系の一部である透過性樹脂製のフレネルパネル５（光学部材）が設けられる。
【００２０】
図１には、通常使用状態におけるストロボ装置が示されている。発光部４は、ストロボ本体１と外装が連続して一体化された形状を有する。また、ストロボ本体１はカメラへの装着面に対して傾斜した形状を有する。ストロボ本体１の傾斜は、図中、符号Ｔに示すように、ストロボ装置の総厚みを薄くして携帯性を向上させるためである。カメラへの装着状態における発光部の高さとして、撮影レンズのケラレを生じない程度の高さが必要である。
【００２１】
例えば、ストロボ本体が水平であった場合、その高さを稼ぐためにストロボ本体より下方に脚を伸ばさなければならず、その結果、ストロボ装置の総厚みが増えてストロボ装置の単体時の携帯性は良くない。逆に、ストロボ本体が直立したものである場合、カメラ上方に飛び出し過ぎてしまい、取り扱う際に邪魔になってしまう。
【００２２】
本実施形態におけるストロボ装置は、ストロボ本体１を傾斜させた形状にすることで、ストロボ装置の単体時においても、カメラへの装着時においても、非常に優れた携帯性を有する小型ストロボとなっている。
【００２３】
図２は発光部４が搭載するズーム機能を動作させた状態におけるストロボ装置の外観を示す斜視図である。発光部４は、フレネルパネル５を保持し、外装部分を構成する第２の発光部筐体７と、後述する発光光源を含んだ発光光学系の一部を内包する第１の発光部筐体６とに分かれている。第１の発光部筐体６および第２の発光部筐体７には、それぞれストロボ本体側に突き出た突出部６ａ（第１の突出部）および突出部７ｂ（第２の突出部）が形成される。第２の発光部筐体７は、第１の発光部筐体６に対し、後述するスライド機構を用いて相対的に変位し、直進移動可能である。すなわち、スライド機構は、後述する発光光源であるキセノン管２１および反射傘２０（図４参照）とフレネルパネル５との相対位置を変化させる。なお、第１発光部筐体６の突出部６ａおよび第２の発光部筐体７の突出部７ｂは、前述した発光部４の突出部４ａに対応する箇所にあって、突出部４ａを構成する。
【００２４】
図３は第２の発光部筐体７を引き出したまま、発光部４を第１の発光部筐体６の突出部６ａに配置された回動軸を中心に回動させ、バウンス機能を動作させた状態におけるストロボ装置の外観を示す斜視図である。発光部４は、後述するように、クリック機構を用いて、回動軸を中心に複数の角度で保持可能である。また、この回動軸は、後述するように、発光部上ケース１１に形成されたヒンジ穴１１ｄ（図４参照）、およびこのヒンジ穴１１ｄに挿通される電池ケース３０のヒンジ軸３０ｄ、３０ｆ（図８参照）から構成される。
【００２５】
なお、ズーム機能における直進変位の操作およびバウンス機能における発光部の回動操作は、第２の発光部筐体７の両側面に形成された指かかり突起７ａ等に指をかけて手動で行われる。
【００２６】
また、発光部４を上方に回動させた状態では、ストロボ本体１の前面に、発光部４の状態を検知するためのスライド検知レバー４５およびバウンス検知レバー４６が現れる。スライド検知レバー４５は、第２の発光部筐体７との当接の有無で、第２の発光部筐体７が引き出されているか否かを検知する。一方、バウンス検知レバー４６は、第１の発光部筐体６との当接の有無で、バウンスが行われているか否かを検知する。
【００２７】
つぎに、発光部４の主な構成を、その組み付け方法に従って説明する。図４は発光部４の全体構成を示す分解斜視図である。まず、ズーム機能に使用するスライド機構の構成部位について説明する。図５は発光部４のスライド機構を示す分解斜視図である。第１の発光部筐体６を構成する発光部上ケース１１では、第１の発光部筐体６の突出部６ａに相当する幅が狭まった部位の両側面にヒンジ穴１１ｄが一体に形成されている。このヒンジ穴１１ｄは、後述するストロボ本体１側のヒンジ軸（回動軸）と回転可能に嵌合する。
【００２８】
発光部上ケース１１の上方から第２の発光部筐体７を構成する発光部上カバー１０が取り付けられる。また、発光部上ケース１１の天面には、長穴１１ａ（図５参照）が形成されている。発光部上カバー１０の内面に形成されたボス１０ａが長穴１１ａを抜けて発光部上ケース１１の内面に突出する。一方、発光部上ケース１１の下方からスライド機構の主要部材である第２の発光部筐体７を構成するスライダ１４が取り付けられる。
【００２９】
スライダ１４は、筒状のフード部１４ｂおよび２本の梁状部１４ａが一体化した形状を有する（図６、図７参照）。２本の梁状部１４ａには、それぞれ対向するようにカム部１４ｃおよび係止部１４ｆが形成されている。発光部上ケース１１とスライダ１４の間には、圧縮コイルバネであるスライドクリックスプリング１２と、一対のスライドクリック部材１３が取り付けられる。スライドクリックスプリング１２は、スライドクリック部材１３を押し広げる付勢力を有し、前述したスライダ１４のカム部１４ｃに作用する。
【００３０】
スライダ１４は、発光部上カバー１０のボス１０ａに対し、梁状部１４ａの根元付近でビス１５によって固定されるとともに、フード部１４ｂの側面に形成された係止爪１４ｄが発光部上カバー１０の両側面に形成された係合穴１０ｂに係合することで固定される。発光部上カバー１０およびスライダ１４は、一体となって、摺動可能な僅かな隙間を持って発光部上ケース１１を挟持する。
【００３１】
図６は第２の発光部筐体７が引き出された状態にある場合の発光部４のスライド機構を示す斜視図である。第２の発光部筐体７が引き出された状態では、フレネルパネル５が第２の位置に位置している。この状態において、スライダ１４は、スライダの係止部１４ｆが発光部上ケース１１の内面に形成されたリブ１１ｍ（図５参照）と当接して係止されるとともに、スライドクリック部材１３とカム部１４ｃの作用によって適度なクリック力をもって保持される。また、スライダ１４の梁状部１４ａは、発光部上ケース１１に一体に形成されたガイドリブ１１ｂにより、梁状部１４ａの全長に亘って、図６の矢印ｆ方向のガタが規制された状態にある。
【００３２】
図７は第２の発光部筐体７が通常使用状態にある場合の発光部４のスライド機構を示す斜視図である。通常使用状態では、フレネルパネル５がキセノン管２１および反射傘２０に近接する第１の位置に位置している。この状態において、スライダ１４は、スライダ１４のフード部１４ｂが発光部上ケース１１の前面１１ｋ（図５参照）に当接し、前述したように、スライドクリック部材１３とカム部１４ｃの作用によって適度なクリック力をもって保持される。また、スライダ１４の梁状部１４ａの先端は、発光部上ケース１１の後方の壁面に形成された開口穴１１ｈより突出する。
【００３３】
ズーム機能に用いられるスライド機構は、前述した発光部上ケース１１、発光部上カバー１０およびスライダ１４から構成される。具体的に、発光部上ケース１１は、第１の発光部筐体６の一部であって回動軸が挿通されるヒンジ穴１１ｄを有するとともに、発光部上ケース１１には、長穴１１ａが形成される。第２の発光部筐体７の一部である発光部上カバー１０には、長穴１１ａに挿通されるボス１０ａが形成される。スライダ１４は、ボス１０ａと係合するビス１５によって発光部上カバー１０と一体化し、発光部上ケース１１を摺動自在に狭持する。これにより、スライド機構は、第１の発光部筐体６および第２の発光部筐体７の共通する一面側に集中的に配置されることになる。
【００３４】
リフレクタケース１８（図４参照）には、発光光学系の一部として、発光光源であるキセノン管２１（閃光発光光源）、およびキセノン管２１の光を前方へ折り返す反射傘２０が取り付けられる。この反射傘２０によりキセノン管２１からの閃光を前方へ有効に照射することができる。反射傘２０は、リフレクタケース１８の前方からはめ込まれ、リフレクタケース１８と一体に形成された複数の係止爪１８ｂによって保持される。キセノン管２１は、取り付けられた反射傘２０の側方からリフレクタケース１８内に差し込まれ、シリコン製の保持バンド２８を用いて反射傘２０に保持される。
【００３５】
リフレクタケース１８の側壁には、反射面１８ａが形成されている。この反射面１８ａに切り口を向けるように、リフレクタケース１８の後方からファイバ（光ファイバ）２３が差し込まれている。反射傘２０の反射面１８ａに対応する部位には、開口部（図示せず）が設けられている。キセノン管２１から放射した光の一部は、反射面１８ａで反射してファイバ２３に入射可能である。反射傘２０が収納されたリフレクタケース１８の後方中央部には、発光時にキセノン管２１へ高電圧のトリガ信号を印加するトリガコイル１９が収納される。
【００３６】
また、リフレクタケース１８は、発光部上ケース１１にビス２７で固定される。リフレクタケース１８の後方へ引き出されたファイバ２３は、緩やかに９０度折り曲げられ、反対側の対となるヒンジ穴１１ｄから発光部４の外部へ引き出される。
【００３７】
ヒンジ穴１１ｄの後方には、一対となる、圧縮コイルばねであるバウンスクリックスプリング１６およびバウンスクリック部材１７が取り付けられる。バウンスクリック部材１７は、ヒンジ穴１１ｄの後方に設けられた開口部１１ｅからバウンスクリックスプリング１６の付勢力を持って突出する。
【００３８】
発光部上ケース１１にその下方から発光部下ケース２４が取り付けられることにより、第１の発光部筐体６が完成する。発光部下ケース２４は、その前方に形成された係合爪２４ａと後方に形成された係合穴２４ｂがそれぞれ発光部上ケース１１に形成された係合溝１１ｆ（図５参照）と突起１１ｇ（図６参照）に係合することで、固定される。
【００３９】
スライダ１４のフード部１４ｂの前方にフレネルパネル５が置かれ、下方から発光部下カバー２５が発光部上カバー１０に取り付けられることで、第２の発光部筐体７が完成する。
【００４０】
フレネルパネル５の周囲には、フランジ部５ａが形成されている。フレネルパネル５は、フランジ部５ａが発光部下カバー２５の先端に形成された溝２５ａ、発光部上カバー１０の先端に形成された溝、および同様の溝（図示せず）にはめ込まれることで、脱落しないようになっている。発光部下カバー２５は、スライダ１４のフード部１４ｂに形成されたボス１４ｅにビス２６によって後方から固定される。
【００４１】
上記構成の発光部を有するストロボ装置はバウンス機能およびズーム機能を有する。ズーム機能は、フレネルパネル５を保持した第２の発光部筐体７がスライダ機構により前後に移動することで、実現される。フレネルパネル５には、正の屈折力を有したフレネルレンズが形成されている。また、第２の発光部筐体７を引き出して、フレネルパネル５がキセノン管２１および反射傘２０から離れた（離間した）第２の位置に移動すると、正の屈折力により照射角が絞られた状態となり、ガイドナンバがアップする。
【００４２】
つぎに、ストロボ本体１の主な構成を、その組み付け方法に従って説明する。図８は主な外装部分を取り除いた状態におけるストロボ本体１の構成を示す分解斜視図である。図９は主な外装部分を取り除いた完成状態におけるストロボ本体１の構成を示す斜視図である。なお、図９では、図８とは逆の方向から見たストロボ本体１が示されている。
【００４３】
ストロボ本体１は、２本の単三型電池を収納する箱状の電池収納部３０ａを有し、発光部４に向かって伸びた一対の腕部３０ｂ、３０ｃが一体に形成された電池ケース３０を構造部材とする。
【００４４】
腕部３０ｂ、３０ｃ先端には、それぞれ開口穴３０ｅ、３０ｇを有する円筒状のヒンジ軸３０ｄ、３０ｆが内側に向かって突出して形成される。また、ヒンジ軸３０ｄ、３０ｆ近傍には、各ヒンジ軸３０ｄ、３０ｆを中心として所定角度に配置された複数のクリック溝３０ｈが一体に形成されている。
【００４５】
各ヒンジ軸３０ｄ、３０ｆは、ストロボ本体１側におけるバウンス用の回動軸であり、発光部４のヒンジ穴１１ｄと摺動可能に嵌合する。また、各クリック溝３０ｈは、発光部４に取り付けられたバウンスクリック部材１７と係合し、所定角度で発光部４を保持可能なクリック機構を提供する。
【００４６】
発光部４は、前述したように、ヒンジ軸３０ｄ、３０ｆによりストロボ本体１に保持される。発光部４を組み込む際、可撓性を有した一方の側の腕部３０ｃを開いておき、他方の側のヒンジ軸３０ｄを発光部４のヒンジ穴１１ｄに嵌合させた後、腕部３０ｃのヒンジ軸３０ｆをもう一方のヒンジ穴１１ｄに差し込む作業が行われる。
【００４７】
各ヒンジ軸３０ｄ、３０ｆの中央に設けられた開口穴３０ｅ、３０ｇは、発光部４のファイバ２３や、キセノン管２１およびトリガコイル１９に接続されたリード線類（図示せず）を発光部４の内部から引き出すためのものである。
【００４８】
ヒンジカバー４４は、ストロボ本体１の外装部材の１つであり、発光部４の回動軸周りの壁面を形成する。可撓性を有する腕部３０ｃは、そのままでは発光部４のバウンスクリック部材１７の付勢力に負けて開いた状態となる。しかし、両腕部３０ｂ、３０ｃに対し、穴４４ｂおよびボス４４ａで係合するヒンジカバー４４を取り付けることで、腕部３０ｃの開きは矯正される。なお、ヒンジカバー４４には、スライド検知レバー４５およびバウンス検知レバー４６が回転・揺動可能な状態で取り付けられている。
【００４９】
発光部４から伸びたファイバ２３の先端には、ファイバ２３からの光を開口部４３ａ側へ９０度折り曲げる反射面を持つファイバホルダ４３が装着されている。このファイバホルダ４３は、電池室中央のホルダ挿入部３０ｉに挿入される。
【００５０】
電池ケース３０の電池収納部３０ａには、電池切片４０、４１が保持された切片ホルダ４２が取り付けられる。電池ケース３０の上面側には、メイン基板３１がビス３４により固定される。メイン基板３１は、ＣＰＵ３２やその裏面側に配置された受光センサ３３が実装されたデジタル系の回路を有する。この受光センサ３３は、ファイバホルダ４３の開口部４３ａの上に位置し、ファイバ２３を伝わってくる発光部４からの光を受光可能である。受光センサ３３は、発光時の光量を監視（モニタ）し、ＣＰＵ３２に発光量制御を行わせるためのものである。
【００５１】
電池ケース３０の下面側には、サブ基板３６が取り付けられる。サブ基板３６は、昇圧トランス３７や、組み付けられた際に発光部４に隣接する位置に設けられ、昇圧された発光用の電荷を蓄積する円筒状のメインコンデンサ３８等が実装された高電圧回路を有する。このメインコンデンサ３８近傍の端部には、２つのスイッチ部材４７、４８が実装されている。これらのスイッチ部材４７、４８は、ヒンジカバー４４に取り付けられたスライド検知レバー４５とバウンス検知レバー４６とそれぞれ当接可能である。スイッチ部材４７、４８は、バウンス機能やズーム機能の状態に応じて揺動するスライド検知レバー４５およびバウンス検知レバー４６と当接し、それぞれＯＮ／ＯＦＦを切り替える。
【００５２】
電池ケース３０にサブ基板３６がビス３９により取り付けられると、メインコンデンサ３８は、電池ケース３０の腕部３０ｂ、３０ｃおよびヒンジカバー４４に囲まれた状態となる。電池収納部３０ａの後部には、電源スイッチや表示用ＬＥＤが実装されたスイッチ基板３５が取り付けられる。このようにして、発光部４が取り付けられたストロボ本体１の主要な組み付けが完了する。
【００５３】
図９に示すように、ヒンジ軸３０ｆの開口穴３０ｇから引き出されたファイバ２３は、腕部３０ｃの側面に形成されたガイド部３０ｋを通り、腕部３０ｃの付け根から電池ケース３０の内部に入っていくように配線される。腕部３０ｂ側にも、同様のガイド部３０ｊが形成されている。ファイバ２３の以外にも発光部４から引き出されたリード線類（図示せず）は、両ガイド部３０ｊ、３０ｋを通り、配線される。なお、各基板間等を接続するリード線類については、本発明と特に関連しないので、図示ならびに説明を省略する。
【００５４】
発光部４や各基板類（メイン基板３１、スイッチ基板３５、サブ基板３６）が取り付けられた電池ケース３０には、外装部材である本体上カバー５０が取り付けられる。図１０はストロボ本体に取り付けられる主な外装部品を示す分解斜視図である。本体上カバー５０は、係止穴５０ａ等による係合で電池ケース３０と仮止めされた後、ビス５３、５４によって固定される。電池ケース３０の腕部３０ｂ、３０ｃの先端部がビス５４によって本体上カバー５０に確実に固定されるので、腕部３０ｂ、３０ｃの先端部で発光部４を保持するヒンジ軸３０ｄ、３０ｆは、ぐらつかなくなる。
【００５５】
電池蓋２および本体下カバー５１が電池ケース３０に取り付けられることで、ストロボ装置全体が完成する。電池蓋２は、本体上カバー５０および本体下カバー５１にそのヒンジ部２ａ、２ｂを回転可能に嵌合させることで、取り付けられる。
【００５６】
本体下カバー５１は、前方側を電池ケース３０の両腕部３０ｂ、３０ｃ先端に形成された係合爪３０ｍと係合することで保持され、後方側をビス５５によって電池ケース３０と結合することで固定される。なお、本体下カバー５１には、カメラとの通信用の端子類や、カメラのアクセサリシューへの装着を行うための脚部３があらかじめ取り付けられている。脚部３については、本発明と特に関連しないので、その説明を省略する。
【００５７】
つぎに、ズーム機能に用いられるスライド機構について説明する。図１１は通常使用状態における発光部４の構造を示す断面図である。図１２は第２の発光部筐体７が引き出された状態における発光部４の構造を示す断面図である。図中、回動軸６１は、前述したように、発光部上ケース１１のヒンジ穴１１ｄ、およびこのヒンジ穴１１ｄに挿通される電池ケース３０のヒンジ軸３０ｄ、３０ｆによって構成されるバウンス機能用の回動軸である。なお、回動軸６１は、図中、分かり易くするために、マークで示されている。
【００５８】
発光部４の通常使用状態では、スライダ１４の梁状部１４ａは、発光部４から後方に突出し、ストロボ本体内の円筒状のメインコンデンサ３８のほぼ上方に生じている空隙内に侵入する。スライダ１４を主要部材として構成されるスライド機構は、キセノン管２１および反射傘２０を含む発光光学系の近傍（上方）から回動軸６１を跨ってストロボ本体１内のメインコンデンサ３８の近傍に至るまでの長い距離（範囲）に亘って、配置される。
【００５９】
発光部４の通常使用状態では、発光部上カバー１０とスライダ１４の梁状部１４ａが発光部上ケース１１を挟持するので、図中、矢印ｇ方向のガタを規制している範囲は、長さＬ１（図１１参照）を有する。この長さＬ１は、突出部７ｂを除いた第２の発光部筐体７の前後方向の長さＬ２に対して充分に長い距離である。また、第２の発光部筐体７が引き出された状態においても、ガタを規制している範囲は、長さＬ１’（図１２参照）を有する。この長さＬ１’は、第２の発光部筐体７の前後方向の長さＬ２に匹敵する。
【００６０】
このように、充分な係合量を有するスライド機構により、第２の発光部筐体７が引き出された状態であっても、その先端部が容易に上下方向に振れてしまうことは無い。
【００６１】
また、第２の発光部筐体７の左右方向（図６の矢印ｆ方向）のガタについても、つぎのようにガタが規制される。すなわち、第２の発光部筐体７が引き出された状態であっても、発光部上ケース１１に一体に形成されたガイドリブ１１ｂ、１１ｄがスライダ１４の梁状部１４ａのほぼ全体に亘る充分な長さを有するので、第２の発光部筐体７の左右方向のガタは規制される。従って、第２の発光部筐体７が直進変位の途中で左右に振れてしまい、操作性が損なわれてしまうような問題は起こらない。
【００６２】
以上示したように、本実施形態のストロボ装置は、箱状の第１の発光部筐体６および第２の発光部筐体７の共通する一面側に、ストロボ本体１寄りの回動軸６１が配置された突出部６ａおよび突出部７ｂをそれぞれ形成したものである。そして、ストロボ装置は、突出部６ａ、７ｂ内側のスペースを有効に利用することで、直進移動方向に充分な長さを有する安定動作可能なスライド機構を提供する。
【００６３】
各突出部６ａ、７ｂは、箱状の第１、第２の発光部筐体の共通する一面側に、かつ円筒状のメインコンデンサ３８近傍の空隙を利用してストロボ本体１に食い込むように形成される。従って、発光部４が極端に大型化すること無く、バウンス機能およびズーム機能の双方を備えた小型なストロボ装置を提供することができる。
【００６４】
また、フレネルパネル５が第１の位置にある通常使用状態では、スライダ１４の梁状部１４ａの先端がストロボ本体１の内部に侵入してヒンジカバー４４と係合するので、回動軸６１周りのバウンス動作は規制される。すなわち、第２の発光部筐体７の直線移動を伴うズーム機能を動作させるスライド機構は、バウンス機能のロック機構を兼ねていることになる。このロック機構は、通常使用状態における発光部４の不用意な回転を防止するためのものである。ここで、第２の発光部筐体７を引き出して配光角を狭めた上でロックを解除する理由は、次のとおりである。
【００６５】
通常、携帯性を重視した小型ストロボの照射角は、ほとんどの撮影レンズの画角をカバーする２８ｍｍ近辺の広角側に固定されている。一方、バウンス時においては、天井等の反射を介して被写体に光が当たる。このように、被写体までの直接距離に対して光路が長くなっている分だけ照射範囲が拡大されるので、広めの照射角は不要である。さらに、元々、ガイドナンバが低い傾向にある小型ストロボでは、バウンス時に配光角を狭めてガイドナンバを上げることが好ましい。このため、上記ロック機構を用いて、バウンス時に強制的に照射角を狭めるようにしている。
【００６６】
また、前述したトリガコイル１９は、リフレクタケース１８の発光光学系の後方中央に収納されている。すなわち、トリガコイル１９は、第１の発光部筐体６の突出部６ａ内であって、スライダ１４の２本の梁状部１４ａに挟まれた空間１１ｉ（図６参照）に収納される。これにより、突出部６ａが位置する空間を、ヒンジ穴１１ｄやスライド機構以外にも効率的に利用することができる。
【００６７】
このように、バウンス機能によりストロボ本体に対して回動自在な発光部が非常に小型なものであっても、ストロボ装置は安定したズーム機能の動作を可能にする。
【００６８】
すなわち、バウンス機能のため、ストロボ本体に対して回動自在な発光部に、フレネルパネルの直進移動によるズーム機構を搭載する際、安定して動作するスライド機構を効率的に配置することができる。これにより、小型化を維持したまま、操作性に優れるズーム機能を提供することができる。
【００６９】
なお、本発明は、上記実施形態の構成に限られるものではなく、特許請求の範囲で示した機能、または本実施形態の構成が持つ機能が達成できる構成であればどのようなものであっても適用可能である。
【００７０】
例えば、上記実施形態では、撮像装置に着脱可能なストロボ装置を例示したが、本発明は、これに限定されず、撮像装置と一体化されたストロボ装置に適用されてもよい。
【００７１】
また、上記実施形態のストロボ装置が装着される撮像装置は、コンパクトタイプのデジタルカメラ、フイルムカメラ、デジタルビデオカメラ、デジタルＳＬＲ（一眼レフカメラ）等、特に限定されない。
【符号の説明】
【００７２】
１  ストロボ本体
４  発光部
５  フレネルパネル
６  第１の発光部筐体
６ａ、７ｂ  突出部
７  第２の発光部筐体
１１ｄ  ヒンジ穴
１４  スライダ
１４ａ  梁状部
３０ｄ、３０ｆ  ヒンジ軸
３８  メインコンデンサ
６１  回動軸
【図１】
2010181553.tif 000003
【図２】
2010181553.tif 000004
【図３】
2010181553.tif 000005
【図４】
2010181553.tif 000006
【図５】
2010181553.tif 000007
【図６】
2010181553.tif 000008
【図７】
2010181553.tif 000009
【図８】
2010181553.tif 000010
【図９】
2010181553.tif 000011
【図１０】
2010181553.tif 000012
【図１１】
2010181553.tif 000013
【図１２】
2010181553.tif 000014